(57)【要約】      （修正有）【課題】気管カニューレ等を目立たなくすることにより、自己抜管や他人抜管を防ぐとともに世間の好奇の目にも晒さないようにすることができ、また、介助者が気管カニューレを観察することができ、さらに、痰の吸引等の介助処置を容易に行うことができ、取り扱いも容易な幼児用エプロンを提供する。【解決手段】幼児用エプロン１は、前身ごろにメッシュ生地を備えたポケット１１を有しており、ポケット１１の上部および略中央部に開口部１１１がそれぞれ設けられている。このような構成することにより、開口部１１１から接続チューブ７を挿入して人工鼻９等をポケット１１に収納することができる。また、メッシュ生地を備えたポケット１１を介しているので、人工鼻９等を目立たなくすることができる。さらに、開口部を介して介助処置等を容易に行うことができる。【選択図】図２
0003144259.tif 000002
【実用新案登録請求の範囲】
【請求項１】
気管カニューレの先端に接続チューブを介して連結された人工鼻を収納するポケットを備えたことを特徴とする、幼児用エプロン。
【請求項２】
前記ポケットは、前身ごろの一部または全体に亘って設けられたことを特徴とする、請求項１に記載の幼児用エプロン。
【請求項３】
前記ポケットは、通気性を有する、請求項１または２に記載の幼児用エプロン。
【請求項４】
前記ポケットは、少なくとも前記人工鼻を収納する部分がメッシュ構造である、請求項１〜３の何れか１項に記載の幼児用エプロン。
【請求項５】
前記ポケットは、少なくとも前記人工鼻を収納する部分が透明または半透明である、請求項１〜３の何れか１項に記載の幼児用エプロン。
【請求項６】
前記ポケットは、前記接続チューブを前記ポケット内に挿通するための開口部を有する、請求項１〜５の何れか１項に記載の幼児用エプロン。
【請求項７】
前記開口部は、前記人工鼻が抜脱しない程度の口径を有する、請求項６に記載の幼児用エプロン。
【請求項８】
前記ポケットは、介助者が被介助者に前記人工鼻を介して介助処置を施すための第２の開口部をさらに有する、請求項１〜７の何れか１項に記載の幼児用エプロン。
【請求項９】
前記ポケットは、前記第２の開口部を自在に開閉する開閉手段をさらに有する、請求項８に記載の幼児用エプロン。
【請求項１０】
前記開閉手段は、前記第２の開口部の一部を残して開閉するものである、請求項９に記載の幼児用エプロン。
【請求項１１】
前記ポケットは、前記人工鼻に他の医療機器を連結するための第２の接続チューブを挿通せしめる第３の開口部をさらに有する、請求項１〜９に記載の幼児用エプロン。
【請求項１２】
前記気管カニューレを隠蔽するためのカラーをさらに有する、請求項１〜１１の何れか１項に記載の幼児用エプロン。
【請求項１３】
前記カラーは、着脱自在である、請求項１２に記載の幼児用エプロン。
【請求項１４】
前身ごろの一部または全体に亘って、少なくとも一部がメッシュ構造または透明もしくは半透明のポケットを備えたことを特徴とする、幼児用エプロン。
【請求項１５】
前記ポケットは、開口部と、前記開口部を自在に開閉する開閉手段とを有する、請求項１４に記載の幼児用エプロン。
【考案の詳細な説明】
【技術分野】
【０００１】
本考案は、幼児用エプロンに関する。詳しくは、気管カニューレに連結された人工鼻等を収納するための幼児用エプロンに関するものである。
【背景技術】
【０００２】
上気道の閉塞や人工呼吸補助を必要とする病態、気道分泌物の喀出障害等の患者（被介助者）に対して、気道確保、人工呼吸補助、気道分泌物除去等の目的で、気道切開および気管カニューレの装着が行われている。
【０００３】
しかし、被介助者が幼児である場合は、気管カニューレの重要性を理解することができないため、気管カニューレやその体外先端部に装着された人工鼻等（以下、これらを「気管カニューレ等」という場合がある）を自分で引き抜いてしまったり、障害物に引っ掛けて抜いてしまうことがあった（以下、かかる行為を「自己抜管」という）。また、家庭や幼稚園等で、兄弟姉妹や園児等の他の幼児に気管カニューレ等を興味本位で引き抜かれてしまう危険性があった（以下、かかる行為を「他人抜管」という）。かかる気管カニューレ等の抜管は、被介助者の生命を危機にさらすことになるため、従来、自己抜管および他人抜管防止の目的で、更には、世間の好奇の目から逃れる目的も兼ねて、被介助者に汎用品のよだれかけ（スタイ）やスモック等を着用させていた。
【考案の開示】
【考案が解決しようとする課題】
【０００４】
しかしながら、よだれかけやスモックでは、気管カニューレ等を隠して目立たないようにすることができる反面、看護師等の介助者が気管カニューレ等の様子を観察するために度々裾を捲り上げなければならず、また、常時気管カニューレ等の観察をするには不十分であった。また、よだれかけでは、被介助者が隙間から手を差し入れて簡単に気管カニューレに触れることができるので、自己抜管を十分に防ぐことができなかった。さらに、スモックでは、着替えの際に気管カニューレ等が引っ掛かり易く、取り扱い難いという問題があった。
【０００５】
本考案は、上記従来技術の有する問題点に鑑みなされたものであり、その目的とするところは、気管カニューレ等を目立たなくすることにより、自己抜管や他人抜管を防ぐとともに世間の好奇の目にも晒さないようにすることのできる幼児用エプロンを提供することにある。
【０００６】
本発明の他の目的は、介助者が気管カニューレを観察することができ、また、痰の吸引等の介助処置を容易に行うことができ、取り扱いも容易な幼児用エプロンを提供することにある。
【課題を解決するための手段】
【０００７】
本考案の上記目的は、下記の手段により達成される。
【０００８】
（１）すなわち、本考案は、気管カニューレの先端に接続チューブを介して連結された人工鼻を収納するポケットを備えたことを特徴とする、幼児用エプロンである。
【０００９】
（２）本考案は、また、前記ポケットは、前身ごろの一部または全体に亘って設けられたことを特徴とする、（１）に記載の幼児用エプロンである。
【００１０】
（３）本考案は、また、前記ポケットは、通気性を有する、（１）または（２）に記載の幼児用エプロンである。
【００１１】
（４）本考案は、また、前記ポケットは、少なくとも前記人工鼻を収納する部分がメッシュ構造である、（１）〜（３）の何れか１項に記載の幼児用エプロンである。
【００１２】
（５）本考案は、また、前記ポケットは、少なくとも前記人工鼻を収納する部分が透明または半透明である、（１）〜（３）の何れか１項に記載の幼児用エプロンである。
【００１３】
（６）本考案は、また、前記ポケットは、前記接続チューブを前記ポケット内に挿通するための開口部を有する、（１）〜（５）の何れか１項に記載の幼児用エプロンである。
【００１４】
（７）本考案は、また、前記開口部は、前記人工鼻が抜脱しない程度の口径を有する、（６）に記載の幼児用エプロンである。
【００１５】
（８）本考案は、また、前記ポケットは、介助者が被介助者に前記人工鼻を介して介助処置を施すための第２の開口部をさらに有する、（１）〜（７）の何れか１項に記載の幼児用エプロンである。
【００１６】
（９）本考案は、また、前記ポケットは、前記第２の開口部を自在に開閉する開閉手段をさらに有する、（８）に記載の幼児用エプロンである。
【００１７】
（１０）本考案は、また、前記開閉手段は、前記第２の開口部の一部を残して開閉するものである、（９）に記載の幼児用エプロンである。
【００１８】
（１１）本考案は、また、前記ポケットは、前記人工鼻に他の医療機器を連結するための第２の接続チューブを挿通せしめる第３の開口部をさらに有する、（１）〜（９）に記載の幼児用エプロンである。
【００１９】
（１２）本考案は、また、前記気管カニューレを隠蔽するためのカラーをさらに有する、（１）〜（１１）の何れか１項に記載の幼児用エプロンである。
【００２０】
（１３）本考案は、また、前記カラーは、着脱自在である、（１２）に記載の幼児用エプロンである。
【００２１】
（１４）また、本考案は、前身ごろの一部または全体に亘って、少なくとも一部がメッシュ構造または透明もしくは半透明のポケットを備えたことを特徴とする、幼児用エプロンである。
【００２２】
（１５）本考案は、さらに、前記ポケットは、開口部と、前記開口部を自在に開閉する開閉手段とを有する、（１４）に記載の幼児用エプロンである。
【考案の効果】
【００２３】
本考案の幼児用エプロンによれば、気管カニューレの先端に接続チューブを介して連結された人工鼻を収納するポケットを備えているので、人工鼻を前記ポケットに収納して気管カニューレ等を目立たなくすることができ、被介助者による自己抜管や他の幼児による他人抜管を効果的に防ぐとともに、世間の好奇の目にも晒さないようにすることができる。特に、前記ポケットの少なくとも前記人工鼻を収納する部分をメッシュ構造等とすることにより、気管カニューレ等を目立たなくするとともに介助者は気管カニューレ等の様子を確認できるようになり、かつ通気性にも優れるという効果を達成することができる。
【００２４】
また、本考案の幼児用エプロンによれば、前記ポケットに、前記接続チューブを前記ポケット内に挿通するための開口部を設けることにより、前記接続チューブを前記開口部に挿通せしめて人工鼻を前記ポケットに容易に収納することができる。特に、前記開口部を前記人工鼻が抜脱しない程度の口径にすることにより、被介助者が激しく動き回っても前記ポケットに収納した人工鼻が前記開口部から抜け出ないようにすることができる。
【００２５】
本考案の幼児用エプロンによれば、前記ポケットに、介助者が被介助者に前記人工鼻を介して介助処置を施すための第２の開口部を設けことにより、幼児用エプロンを脱がしたり裾を捲り上げたりすることなく介助者が簡単に被介助者に気管カニューレ等を介して介助処置を施すことができる。また、前記ポケットに、前記第２の開口部を自在に開閉する開閉手段を備えることにより、被介助者や他の幼児の手が気管カニューレ等に届かないようにすることができるので、自己抜管や他人抜管をより効果的に防ぐことができる。
【００２６】
また、本考案の幼児用エプロンによれば、前記開閉手段を、前記第２の開口部の一部を残して開閉するように構成することにより、前記第２の開口部を閉じた際の残余の開口部に第２の接続チューブを挿通せしめて、前記人工鼻に人口呼吸器等の他の医療機器を連結することができる。同様の効果は、前記第２の接続チューブを挿通せしめるための第３の開口部を設けることによっても達成される。
【００２７】
本考案の幼児用エプロンによれば、後身ごろに面ファスナーが設けられているので、被介助者の手が後ろまで届かず、誤って幼児用エプロンを脱いでしまうこともない。一方、介助者にとっては、面ファスナーを外すだけでよいので、例えば幼児用エプロンが汚れて着替えさせる場合であっても、幼児用エプロンに気管カニューレ等を引っ掛けることなく簡単に脱がせることができる。
【００２８】
本考案の幼児用エプロンによれば、幼児用エプロンにカラーが設けられているので、被介助者の気管カニューレの挿入部を隠すことができる。よって、被介助者による自己抜管だけでなく、園児等による他人抜管も防ぐことができる。
【考案を実施するための最良の形態】
【００２９】
以下、本考案の実施の形態を、図面を参照して詳細に説明する。
【００３０】
図１は、本考案の第１の実施形態にかかる幼児用エプロン１の全体構成を示す概略正面図である。図１に示すように、本実施形態にかかる幼児用エプロン１は、前身ごろにポケット１１を備えてなる。幼児用エプロン１の生地には、通気性や吸水性等に優れ、肌への負担が少なく、さらに洗濯し易い等の理由から綿素材が用いられている。ただし、幼児用エプロン１の生地は綿素材に限定されるものではなく、必要により他の素材が選択されてもよい。また、ポケット１１の縦幅は、幼児用エプロン１の襟ぐりから裾までであり、横幅は、左袖ぐりから右袖ぐりまでである。このように、ポケット１１が幼児用エプロン１全体に亘って設けられたことにより、後述する人工鼻９等をポケット１１に収納したとしても、まるでデザインの一部であるかのように目立たなくすることができ、自己抜管や他人抜管を防ぐことができる。ただし、ポケット１１は、幼児用エプロン１の前身ごろ全体に亘って設けられる必要はなく、人工鼻９等を収納することができれば、前身ごろの一部のみに設けられてもよい。
【００３１】
ポケット１１は、バイアステープ１１５で縁取られたメッシュ生地１１６からなる。ポケット１１にメッシュ生地１１６を採用したことにより、人工鼻９等を目立たなくするとともに介助者は人工鼻９等の様子を確認することができる。さらに、メッシュ生地１１６がその構造により優れた通気性を有するので、二酸化炭素が抜けやすく、かつ水分が溜まることがない。よって、被介助者の呼吸を妨げることがない。ただし、ポケット１１は、ポケット１１全体にメッシュ生地１１６が設けられる必要はなく、少なくとも人工鼻９等が収納される周辺部分にメッシュ生地１１６が設けられていればよい。
【００３２】
バイアステープ１１５としては、綿素材が用いられている。メッシュ生地１１６がバイアステープ１１５で縁取られることで強度が増し、被介助者が引っ張っても破れたり外れたりすることがない。また、メッシュ生地１１６としては、ポリエステル素材が用いられており、特に目が粗いものが好ましい。ただし、本考案においては、人工鼻９等を目立たなくするとともに外部から確認することができ、かつ被介助者の呼吸を妨げることがなければ、メッシュ生地１１６のようなメッシュ構造を有する生地に限定される訳ではない。例えば、透明素材や半透明生地等が用いられてもよい。ただし、綿素材のように、水分で目が詰まって二酸化炭素が溜まってしまい、被介助者の呼吸を妨げるようなものは好ましくない。
【００３３】
図２は、幼児用エプロン１のポケット１１に人工鼻９を収納した状態を示す図である。人工鼻９は、接続チューブ７を介して気管カニューレ３の先端に連結されている。図２に示すように、ポケット１１の上部には開口部１１１が、略中央部には開口部１１２がそれぞれ設けられている。開口部１１１は、接続チューブ７をポケット１１内に挿通することができ、人工鼻９が抜脱しない程度の口径を有している。よって、人工鼻９が開口部１１１を通り抜けられないので、気管カニューレ３が被介助者の頸部で固定されている限り、人工鼻９等が外れて落ちることはない。ただし、開口部１１１の口径は、必要に応じて所望の幅に変更されてもよい。
【００３４】
また、開口部１１２には、ファスナー１１３が設けられている。ファスナー１１３は、上述したメッシュ生地１１６と同様にして、バイアステープ１１５で補強されている。また、ファスナー１１３は、開口部１１２を自在に開閉することができる。このような構成にすることによって、ファスナー１１３を閉めて被介助者等の手が人工鼻９等に届かないようにすることができ、自己抜管や他人抜管を防ぐことができ、かつファスナー１１３を開けて介助者が痰吸引等の介助処置等を容易に行うことができる。また、ファスナー１１３を全閉しても開口部１１２の一部が残るように、ファスナー１１３が開口部１１２に取り付けられている（以下、残った開口部１１２の一部を「開口部１１４」という）。このような構成にすることによって、例えば、自力呼吸ができない被介助者のために、人工鼻９等に繋いだチューブ等を、開口部１１４を介して人工呼吸器等に接続することができる。ただし、開口部１１２をファスナー１１３で全閉可能な構成にし、開口部１１４を設けずに他の開口部をポケット１１４の所望の場所に設けてもよい。
【００３５】
なお、本考案においては、開口部１１２にファスナー１１３を設ける構成に限定される訳ではなく、例えば、開口部１１２に蓋部等を設けて面ファスナーやボタン等で開口部１１２を開閉するように構成されてもよい。
【００３６】
図３は、図１の概略背面図である。図３に示すように、幼児用エプロン１は、後身ごろに面ファスナー１３を備えてなる。面ファスナー１３が幼児用エプロン１の後身ごろに設けられたことで、例えば、自立歩行が可能となり、手指の巧緻性が増した被介助者に幼児用エプロン１を適用する場合であっても、被介助者の手が背部に届かないので、人工鼻９等の自己抜管等を防止することができる。
【００３７】
ただし、本考案にかかる幼児用エプロン１は、必ずしも上記実施形態のように後身ごろまでを備えた構造である必要はなく、前身ごろのみで構成し、これを直接面ファスナー等で幼児の着衣に固定してもよい。さらには、ポケットのみで構成して幼児の着衣に固定するようにしてもよい。
【００３８】
次に、本実施形態に係る幼児用エプロン１の使用方法について説明する。
【００３９】
まず、気管カニューレ３および連結チューブ７を装着した被介助者に、幼児用エプロン１を着用させ、面ファスナー１３を用いて幼児用エプロン１を被介助者の背部で固定する。次いで、気管カニューレ３等を開口部１１１から挿入し、ファスナー１１３を開けて開口部１１２から人工鼻９を入れ、人工鼻９を連結チューブ７を介して気管カニューレ３に連結し、ファスナー１１３を閉める。また、痰の除去等の介助処置は、ファスナー１１３を開けて開口部１１２から手を差し入れて行う。なお、被介助者の気管切開部の気管カニューレ３等が気になる場合には、バンダナやスカーフあるいはネックウォーマー等によって気管切開部を隠してもよい。これにより、被介助者による自己抜管だけでなく、園児等による他人抜管も防ぐことができる。なお、バンダナ等を用いた場合に気管カニューレ３等の様子を確認する際には、バンダナ等の裾を捲ればよい。
【００４０】
図４は、本考案の第２の実施形態にかかる幼児用エプロン５の全体構成を示す概略正面図であり、図５は、図４の概略背面図である。なお、図４および図５において、第１の実施形態と同一の構成要素については同一の符号を付している。図４および図５に示すように、本実施形態にかかる幼児用エプロン５は、上述した第１の実施形態にかかる幼児用エプロン１の両肩部にカラー５７を固定したものである。カラー５７を設けた以外は幼児用エプロン１と同様の構成であるので、カラー５７以外の構成要素については説明を省略する。
【００４１】
図４および図５に示すように、カラー５７は、後部に面ファスナー５７１を備えてなる。カラー５７の生地には、幼児用エプロン１と同様にして、綿素材が用いられている。ただし、カラー５７の生地は、特に綿素材に限定されている訳ではなく、必要により他の素材が選択されてもよい。また、カラー５７を設けることで、上述したバンダナ等と同様にして、気管カニューレ３等を装着した被介助者の気管切開部を覆うことができ、自己抜管や他人抜管を防ぐことができる。なお、カラー５７は、不要時には脱着できるように着脱自在に構成されていてもよい。
【００４２】
また、カラー５７に面ファスナー５７１を設けることによって、カラー５７を被介助者の頸部に固定することができ、かつカラー５７を簡単に着脱させることができる。また、カラー５７は、被介助者の後頸部で固定されているだけなので、カラー５７を捲ることで看護師等が気管カニューレ３の状態を確認したり、処置をすることが容易にできる。
【００４３】
次に、本実施形態に係る幼児用エプロン５の使用方法について説明する。
【００４４】
まず、第１の実施形態と同様の被介助者に、幼児用エプロン５およびカラー５７を着用させ、面ファスナー５３を用いて幼児用エプロン５を被介助者の背部で、および面ファスナー５７１を用いてカラー５７を被介助者の後頸部で固定する。次いで、第１の実施形態と同様にして、気管カニューレ３等をポケット５１に収納する。また、痰の除去等の介助処置は、幼児用エプロン１と同様にして行う。なお、気管カニューレ３等の様子を確認する際には、カラー５７の裾を捲ればよい。
【００４５】
なお、本考案の幼児用エプロンは、上記した実施形態に限定されるものではなく、本考案の要旨を逸脱しない範囲内において種々変更を加え得ることは勿論である。
【実施例】
【００４６】
次に、本考案の幼児用エプロンを、実施例を参照して詳細に説明する。
【００４７】
［比較例１］従来品の使用時における被介助者の行動観察
【００４８】
図６に示すように、出生時に自力呼吸ができなかったため生後間もなく気管切開して気管カニューレ及び人工鼻を装着した２歳４ヶ月の被介助者（高度小顎症、口唇裂、口蓋裂、舌の低形成および気管軟化症を患っている）に、図７に示すように、汎用品のよだれかけを適用し、被介助者の行動を観察した。
【００４９】
よだれかけを被介助者に適用すると、気管カニューレ等を隠すことができるが、よだれかけと胸部の隙間から被介助者の手が容易に気管カニューレ等に届いてしまうため、自己抜管を防ぐことができなかった。また、この被介助者には双子の妹がおり、被介助者を一時帰宅させた際には、被介助者の妹による気管カニューレ等の抜管の危険性があった。
【００５０】
したがって、被介助者によだれかけを適用した場合には、見かけ上気管カニューレを隠すことができても、気管カニューレ等の自己抜管および他人抜管を防ぐことはできなかった。
【００５１】
［実施例１］本考案の使用時における被介助者の行動観察
【００５２】
比較例１の被介助者に対し、図８に示すように、本実施形態にかかる幼児用エプロン１およびバンダナを適用し、被介助者の行動を観察した。
【００５３】
幼児用エプロン１およびバンダナを被介助者に適用した場合には、比較例１と同様にして、気管カニューレ等を隠すことができ、さらにファスナーを閉じれば、被介助者の手が気管カニューレに届くことはないので、被介助者による自己抜管は確認されなかった。また、幼児用エプロン１にバンダナを併用することで、被介助者の気管切開部周辺を隠すことができるので、被介助者の妹による他人抜管も確認されなかった。
【００５４】
したがって、被介助者に幼児用エプロン１およびバンダナを適用した場合には、気管カニューレ等の自己抜管および他人抜管を防ぐことができた。また、気管カニューレ等の自己抜管および他人抜管が確認されなかったことより、被介助者は退院することが可能となった。
【産業上の利用可能性】
【００５５】
本考案の幼児用エプロンは、介助者が気管カニューレ等の様子を観察することができ、被介助者が誤って幼児用エプロンを脱いでしまうこともなく、幼児用エプロンに気管カニューレを引っ掛けることなく簡単に脱がせることができ、あるいは、幼児用エプロンを脱がせることなく介助者が簡単に介助処置を施すことができる。また、本考案の幼児用エプロンを着用させることで、気管カニューレが目立たなくなり、気管カニューレに被介助者の手が届かなくなり、あるいは、幼児用エプロンにカラーを設けて被介助者の気管カニューレの挿入部を隠すことができるので、被介助者による自己抜管だけでなく、園児等による他人抜管も防ぐことができる。したがって、本考案の幼児用エプロンは、気管切開を行った幼児等に適用する幼児用エプロンとして、極めて有用である。
【００５６】
また、本考案の幼児用エプロンは、ファスナー付きのポケットを備えているので、気管カニューレだけでなく、おしゃぶり等を収納するための幼児用エプロンとして、極めて有用である。
【図面の簡単な説明】
【００５７】
【図１】本考案の第１の実施形態にかかる幼児用エプロン１の全体構成を示す概略正面図である。
【図２】幼児用エプロン１のポケット１１に人工鼻９を収納した状態を示す図である。
【図３】図１の概略背面図である。
【図４】本考案の第２の実施形態にかかる幼児用エプロン５の全体構成を示す概略正面図である。
【図５】図４の概略背面図である。
【図６】気管カニューレ等を装着した被介助者の状態を示す図である。
【図７】図６の被介助者に従来品であるよだれかけを着用させた状態を示す図である。
【図８】図６の被介助者に本実施形態にかかる幼児用エプロン１を着用させた状態を示す図である。
【符号の説明】
【００５８】
１，５・・・幼児用エプロン
１１，５１・・・ポケット
１１１，１１２，１１４・・・開口部
１１３・・・ファスナー
１１５・・・バイアステープ
１１６・・・メッシュ生地
１３，５３，５７１・・・面ファスナー
３・・・気管カニューレ
５７・・・カラー
７・・・連結チューブ
９・・・人工鼻
【図１】
0003144259.tif 000003
【図２】
0003144259.tif 000004
【図３】
0003144259.tif 000005
【図４】
0003144259.tif 000006
【図５】
0003144259.tif 000007
【図６】
0003144259.tif 000008
【図７】
0003144259.tif 000009
【図８】
0003144259.tif 000010